(57)【要約】【課題】取付け作業性が良く、且つ、撤去時に分離脱落することのない電線把持用コネクタを提供する。【解決手段】第１のコネクタ本体１０と第２のコネクタ本体２０と、コネクタ本体１０、２０が配電線８０と分岐線９０とを把持して固定するボルト３０と、ナット４０とを有し、互いに接する第１のコネクタ本体１０の接触面には、配電線９０を把持するための凹部１６と分岐線９０を把持するための凸部１８とを具備し、同様に第２のコネクタ本体２０の接触面には、凹部２４、部２６を具備し、ボルト３０は、頭部３２、角根部３４、ネジ部３６から成り、ネジ部３６の先端は、カシメ部３８を有し、角根部３４は、カシメ部３８の長さを加算した所定の長さを有する。【選択図】      図１
2012055053.tif 000002
【特許請求の範囲】
【請求項１】
配電線と分岐線を把持する電線把持用コネクタであって、
コネクタ本体と、前記コネクタ本体が前記配電線と前記分岐線とを把持した状態で固定するボルトと、ナットとを有し、
前記コネクタ本体は、第１のコネクタ本体と第２のコネクタ本体とから成り、互いに接する前記第１のコネクタ本体の接触面には、前記配電線を把持するための凹部と前記分岐線を把持するための凸部とを具備し、互いに接する前記第２のコネクタ本体の接触面には、前記配電線を把持するための凹部と前記分岐線を把持するための凹部とを具備し、
前記ボルトは、頭部と、角根部と、ネジ部とから成り、前記ネジ部の先端には、カシメ部を有し、
前記第１のコネクタ本体の前記接触面には、前記凹部と前記凸部との間に前記ボルトのネジ部が貫通する貫通孔を有し、且つ、前記第１のコネクタ本体の前記接触面の反対側には、前記角根部が収まる前記貫通孔に連続した角根孔を有し、
前記第２のコネクタ本体の前記接触面には、２つの前記凹部の間に前記ボルトのネジ部が貫通する貫通孔を有し、
前記角根部は、前記カシメ部の長さを加算した所定の長さを有することを特徴とする電線把持用コネクタ。
【発明の詳細な説明】
【技術分野】
【０００１】
本発明は、配電線と分岐線を把持する電線把持用コネクタに係り、詳しくは、取付け作業性が良く、且つ、撤去時に分離脱落することのない電線把持用コネクタに関する。
【背景技術】
【０００２】
図４は、従来の電線把持用コネクタの取付け時の構成図である。図４ａにおいて、従来の電線把持用コネクタ２００は、第１のコネクタ本体１０と第２のコネクタ本体２０とボルト７０と平座金６０とバネ座金５０とナット４０とを有している。互いに接する第１のコネクタ本体１０の接触面には、図４ｂに示す配電線８０を把持するための凹部１６と分岐線９０を把持するための凸部１８とを具備し、互いに接する第２のコネクタ本体２０の接触面には、配電線８０を把持するための凹部２４と分岐線９０を把持するための凹部２６とを具備している。
【０００３】
また、第１のコネクタ本体１０の接触面には、凹部１６と凸部１８との間にボルト７０の図５に明示されるネジ部７６が貫通する貫通孔１２を有し、且つ、第１のコネクタ本体１０の接触面の反対側には、ボルト７０の角根部７４が収まる貫通孔１２に連続した角根孔１４を有し、第２のコネクタ本体２０の接触面には、２つの凹部２４、２６の間にボルト７０のネジ部７６が貫通する貫通孔２２を有している。図５は、従来のボルトの構造を示すボルト構造図である。図５において、ボルト７０は、頭部７２と、角根部７４と、ネジ部７６とから成っている。
【０００４】
再び図４ａにおいて、従来の電線把持用コネクタ２００が、配電線８０と分岐線９０とを把持するために、ナット４０が緩められる。通常電線把持用コネクタの取付け作業は、間接活線工法により行われため、ナット４０は、絶縁操作棒の先に取付けられたソケットレンチを有する間接活線工具（図示せず）により、第１、２のコネクタ本体１０、２０が配電線８０と分岐線９０とを把持するに十分な幅に開口するまで緩められる。
【０００５】
図４ｂにおいて、電線把持用コネクタ２００が配電線８０と分岐線９０とを捉えると、安定してナット４０を締め込むために、ソケットレンチがナット４０を押し込むように、間接活線工具が操作される。この時ナット４０はボルト７０の方向に押されるため、ボルト７０の角根部７４が第１のコネクタ本体１０の角根孔１４から飛び出し、角根部７４が角根孔１４と接触しなくなり、ボルト７０が空回りしてナット４０を締め込むことができなくなる。
【０００６】
図６は、従来の電線把持用コネクタの撤去時の構成図である。図６aは、従来の電線把持用コネクタ２００が配電線８０と分岐線９０とを把持した取付け完了時の状態を示している。この状態において、線把持用コネクタ２００を撤去する場合、取付け時と同様の間接活線工具により、ナット４０が緩められる。図６ｂは、ナット４０が過剰に緩められ、ボルト７０から離脱した状態を示す。このような状態になると、第１、２のコネクタ本体１０、２０が取付け時の状態にまで開口して、配電線８０と分岐線９０とを把持できなくなり、従来の電線把持用コネクタ２００が離脱落下するという事故が発生する。
【０００７】
特許文献１には、コネクタ本体２５の半円溝２５ｄは、リード線たる撚線導体２９の外接円と略一致する半円状の当接面を備えており、また、押え金具２６のＶ溝２６ｂの幅ｌは、リード線（撚線導体）２９の外径と略同等とされ、Ｖ溝２６ｂの深さｈは、リード線（撚線導体）２９の半径ｒよりも少なくされ、相対する半円溝２５ｄ及びＶ溝２６ｂで把持せれるリード線（撚線導体）２９は、コネクタ本体２５と押え金具２６間を貫通するボルト２７及びナット２８により締結される、旨の記載がある。
【先行技術文献】
【特許文献】
【０００８】
【特許文献１】特開２００１−３３９８３５号公報
【発明の概要】
【発明が解決しようとする課題】
【０００９】
本発明は、このような問題を解決するためになされたものであり、その目的は、取付け作業性が良く、且つ、撤去時に分離脱落することのない電線把持用コネクタを提供する。
【課題を解決するための手段】
【００１０】
本発明の電線把持用コネクタは、配電線と分岐線を把持する電線把持用コネクタであって、コネクタ本体と、コネクタ本体が配電線と分岐線とを把持した状態で固定するボルトと、ナットとを有し、コネクタ本体は、第１のコネクタ本体と第２のコネクタ本体とから成り、互いに接する第１のコネクタ本体の接触面には、配電線を把持するための凹部と分岐線を把持するための凸部とを具備し、互いに接する第２のコネクタ本体の接触面には、配電線を把持するための凹部と分岐線を把持するための凹部とを具備し、ボルトは、頭部と、角根部と、ネジ部とから成り、ネジ部の先端には、カシメ部を有し、第１のコネクタ本体の接触面には、凹部と凸部との間にボルトのネジ部が貫通する貫通孔を有し、且つ、第１のコネクタ本体の接触面の反対側には、角根部が収まる貫通孔に連続した角根孔を有し、第２のコネクタ本体の接触面には、２つの凹部の間にボルトのネジ部が貫通する貫通孔を有し、角根部は、カシメ部の長さを加算した所定の長さを有することを特徴とする。
【発明の効果】
【００１１】
本発明によれば、取付け作業性が良く、且つ、撤去時に分離脱落することのない電線把持用コネクタを提供することができる。
【図面の簡単な説明】
【００１２】
【図１】本発明の電線把持用コネクタの取付け時の構成図。
【図２】本発明のボルトの構造を示すボルト構造図。
【図３】本発明の電線把持用コネクタの撤去時の構成図。
【図４】従来の電線把持用コネクタの取付け時の構成図。
【図５】従来のボルトの構造を示すボルト構造図。
【図６】従来の電線把持用コネクタの撤去時の構成図。
【発明を実施するための形態】
【実施例】
【００１３】
本発明の実施の形態について、図を用いて説明する。図１は、本発明の電線把持用コネクタの取付け時の構成図である。図１において、ボルト３０が図４におけるボルト７０とは異なり、他は同様であるため、ボルト３０を図２において説明し、他の説明を省略する。図２は、本発明のボルトの構造を示すボルト構造図である。図２において、ボルト３０は、頭部３２と、角根部３４と、ネジ部３６とから成り、ネジ部３６の先端には、カシメ部３８を有している。また、角根部３４は、カシメ部３８の長さを加算した所定の長さを有している。
【００１４】
再び図１ａにおいて、本願発明の電線把持用コネクタ１００が、配電線８０と分岐線９０とを把持するために、ナット４０が間接活線工具により、第１、２のコネクタ本体１０、２０が、配電線８０と分岐線９０とを把持するに十分な幅に開口するまで緩められる。図１ｂにおいて、電線把持用コネクタ１００が配電線８０と分岐線９０とを捉えると、安定してナット４０を締め込むために、ソケットレンチがナット４０を押し込むように、間接活線工具が操作される。この時ナット４０はボルト７０の方向に押されるが、カシメ部３８を越えて緩むことはできないため、ボルト３０の角根部３４が第１のコネクタ本体１０の角根孔１４から飛び出すことはない。これにより、角根部７４と角根孔１４との接触は保たれ、ボルト７０が空回りすることはなく、ナット４０は安定して所定の量だけ締め込まれ、配電線８０と分岐線９０とを所定の強度で把持することができる。
【００１５】
図３は、本発明の電線把持用コネクタの撤去時の構成図である。図３aは、本発明の電線把持用コネクタ１００が、配電線８０と分岐線９０とを把持した取付け完了時の状態を示している。この状態において電線把持用コネクタ１００を撤去する場合、取付け時と同様の間接活線工具により、ナット４０が緩められる。図３ｂは、ナット４０が緩められ、カシメ部３８の位置で止まっている状態を示している。このように、ナット４０はカシメ部３８の位置を越えて緩むことはできないため、ボルト３２から離脱することはない。このため、電線把持用コネクタ１００が離脱落下するという事故の発生を防止することが可能となる。
【００１６】
以上説明したように本発明によれば、取付け作業性が良く、且つ、撤去時に分離脱落することのない電線把持用コネクタを提供することができる。
【符号の説明】
【００１７】
１０  第１のコネクタ本体
１２  貫通孔
１４  角根孔
１６  凹部
１８  凸部
２０  第２のコネクタ本体
２２  貫通孔
２４  凹部
２６  凹部
３０  ボルト
３２  頭部
３４  角根部
３６  ネジ部
３８  カシメ部
４０  ナット
５０  バネ座金
６０  平座金
７０  ボルト
７２  頭部
７４  角根部
７６  ネジ部
８０  配電線
９０  分岐線
１００  本発明の電線把持用コネクタ
２００  従来の電線把持用コネクタ
【図１】
2012055053.tif 000003
【図２】
2012055053.tif 000004
【図３】
2012055053.tif 000005
【図４】
2012055053.tif 000006
【図５】
2012055053.tif 000007
【図６】
2012055053.tif 000008